(57)【要約】【課題】ホットスワップ可能なファンモジュールを提供する。【解決手段】外部フレームと、外部フレームの一方の側に位置する放熱ファンと、外部フレームと放熱ファンを固定する締付素子と、放熱ファンと外部フレームに貫設される導光柱、導光柱に位置し、放熱ファンの外部フレームと反対側の面に当接される第１のストッパ部、及び第１のストッパ部に対向し、透光性を有し且つ導光柱に光結合され、外部フレームの放熱ファンと反対側の面に当接される第２のストッパ部を含む導光アセンブリと、を備えるホットスワップ可能なファンモジュール。【選択図】図１
2018064084.tif 000002
【特許請求の範囲】
【請求項１】
ハンドルを有する外部フレームと、
前記外部フレームの一方の側に位置し、電気的接続部を有する放熱ファンと、
前記外部フレームと前記放熱ファンを固定する少なくとも１つの締付素子と、
前記締付素子に対向し、前記放熱ファンと前記外部フレームに貫設される導光柱、前記導光柱に位置し、前記放熱ファンの前記外部フレームと反対側の面に当接される第１のストッパ部、及び前記第１のストッパ部に対向し、且つ前記外部フレームの前記放熱ファンと反対側の面に当接され、前記導光柱に光結合されるように、透光性を有する第２のストッパ部を含む導光アセンブリと、
を備えるホットスワップ可能なファンモジュール。
【請求項２】
前記導光柱は、透光柱体と、前記透光柱体の端部に形成される第１のねじ部と、を含み、前記第２のストッパ部が第２のねじ部を内蔵するナットであり、
前記第２のねじ部と前記第１のねじ部との互いの螺合によって、前記ナットが前記導光柱の前記端部に外嵌される請求項１に記載のホットスワップ可能なファンモジュール。
【請求項３】
前記導光アセンブリは、
前記放熱ファンと前記外部フレームに貫設され、中空の通路を有し、前記中空の通路と同軸となり、且つ前記導光柱を収納する中空の金属チューブと、
前記中空の金属チューブの端部に形成される第３のねじ部と、
を含むロックポストを更に備え、
前記第２のストッパ部が第２のねじ部を内蔵するナットであり、前記第２のねじ部と前記第３のねじ部との互いの螺合によって、前記ナットが前記中空の金属チューブの前記端部に外嵌される請求項１又は請求項２に記載のホットスワップ可能なファンモジュール。
【請求項４】
前記第２のストッパ部は貫通孔を有し、前記導光柱は前記貫通孔に入る請求項１乃至請求項３のいずれか１項に記載のホットスワップ可能なファンモジュール。
【請求項５】
前記第２のストッパ部はレンズを有し、前記導光柱は前記レンズに光結合される請求項１乃至請求項４のいずれか１項に記載のホットスワップ可能なファンモジュール。
【請求項６】
前記放熱ファンは、
ファンボックス及びファンブレードを含み、前記ファンボックスがフレームスロットを有し、前記ファンブレードが枢転可能に前記フレームスロット内に位置するファン本体と、
前記ファンボックスに接続され前記フレームスロットを覆う安全カバーと、
を備え、
前記第１のストッパ部は前記安全カバーの前記ファンボックスと反対側の面に当接されて、前記ファン本体を前記安全カバーと前記外部フレームとの間に挟持させる請求項１乃至請求項５のいずれか１項に記載のホットスワップ可能なファンモジュール。
【請求項７】
前記導光柱の一端面は、前記電気的接続部に固定される請求項１乃至請求項６のいずれか１項に記載のホットスワップ可能なファンモジュール。
【請求項８】
前記放熱ファンは、
前記放熱ファンに凹設され、前記第１のストッパ部を収容するための凹部と、
前記凹部内に位置し、前記第１のストッパ部が前記凹部内に入るようにガイドするためのガイド溝と、
を含む請求項１乃至請求項７のいずれか１項に記載のホットスワップ可能なファンモジュール。
【請求項９】
ハンドルを有する外部フレームと、
安全カバーと、
前記外部フレームと前記安全カバーとの間に位置し、前記安全カバーに固定される電気的接続部を有するファン本体と、
前記外部フレーム、前記安全カバー及び前記ファン本体を固定する少なくとも１つの第１の締付素子と、
前記第１の締付素子に対向し、且つ前記ファン本体を前記外部フレームと前記安全カバーとの間に挟持させ、光線をガイドすることができる導光柱を有する第２の締付素子と、
を備えるホットスワップ可能なファンモジュール。
【請求項１０】
少なくとも１つの収納溝を有するハウジングと、
前記ハウジング内に位置する回路基板と、
前記回路基板に位置する電気コネクタと、
前記回路基板に位置する発光ダイオードと、
前記回路基板に電気的に接続される電源と、
挿抜可能に前記収納溝内に位置し、且つ前記電気的接続部が前記電気コネクタに電気的に接続され、前記導光柱の一端が前記発光ダイオードに向かう請求項１乃至請求項９のいずれか１項に記載のホットスワップ可能なファンモジュールと、
を備えるコンピューター機器。
【発明の詳細な説明】
【技術分野】
【０００１】
本発明は、ファンモジュールに関し、特にホットスワップ可能なファンモジュールに関する。
【背景技術】
【０００２】
システム内で作動する電子機器自体の発熱により、システム内の環境温度を上昇させ、更にシステムの安定性を低下させ、ひいてはシステムの故障を引き起こすことがある。したがって、システム内の環境温度を制御して、更に安定した環境温度でシステムの安定性を維持するようにシステム内に放熱ファンが取り付けられる。なお、放熱ファンの交換によるシステムの動作を停止することを避けるために、いくつかのシステムにホットスワップ可能な放熱ファンを変更して取り付けて、システムが持続的に動作する需要を維持するようにする。更に、ある放熱ファンはまた状態表示灯を有し、ユーザがこれによって放熱ファンの状態を確認するようにする。
【０００３】
放熱ファンの少なくとも２つのサブアセンブリは、固定素子（例えばボルト又はスナップ）によって互いに一体に結合され、しかしながら、放熱ファンに状態表示灯を配置する必要がある場合、放熱ファンの固定素子を配置する領域を小さくし、これにより、固定素子の放熱ファンに対する結合力が不十分又は不均一となる。このため、放熱ファンがシステムから抜き取られる場合、放熱ファンの結合力弱い側に引っ張り変形又は分離を発生させ、更に、ファンモジュールをシステムから挿抜する安定性を低下させる。
【発明の概要】
【発明が解決しようとする課題】
【０００４】
本発明の目的の一つは、以上の従来技術に言及した困難を解決するためのホットスワップ可能なファンモジュールを提供することにあり、即ち、ファンモジュールを抜き取る時に、ファンモジュールに引っ張り変形又は分離を発生させなく、更にファンモジュールが損壊される可能性を低下させる。
【課題を解決するための手段】
【０００５】
本発明の一実施形態によれば、このようなホットスワップ可能なファンモジュールは、ハンドルを有する外部フレームと、外部フレームの一方の側に位置し、且つ電気的接続部を有する放熱ファンと、外部フレームと放熱ファンを固定する少なくとも１つの締付素子と、締付素子に対向し、且つ放熱ファンと外部フレームに貫設される導光柱、導光柱に位置し、放熱ファンの外部フレームと反対側の面に当接される第１のストッパ部、及び透光性を有し且つ導光柱に光結合され、外部フレームの放熱ファンと反対側の面に当接されるように該第１のストッパ部に対向する第２のストッパ部を含む導光アセンブリと、を備える。
【０００６】
本発明の一つ又は複数の実施形態において、導光柱は、透光柱体及び第１のねじ部を含む。第１のねじ部は、透光柱体の端部に形成される。第２のストッパ部は、第２のねじ部を内蔵するナットである。このように、第２のねじ部と第１のねじ部との互いの螺合によって、ナットは、導光柱の端部に外嵌され、且つ外部フレームの放熱ファンと反対側の面に当接される。
【０００７】
本発明の一つ又は複数の実施形態において、導光アセンブリは、ロックポストを更に含む。ロックポストは、中空の金属チューブ及び第３のねじ部を含む。中空の金属チューブは、放熱ファンと外部フレームに貫設される。中空の金属チューブは、中空の通路を有する。中空の通路は、中空の金属チューブと同軸となり、且つ導光柱を収納する。第３のねじ部は、中空の金属チューブの端部に形成される。第２のストッパ部は、第２のねじ部を内蔵するナットである。このように、第２のねじ部と第１のねじ部との互いの螺合によって、ナットは中空の金属チューブの端部に外嵌され、且つ外部フレームの放熱ファンと反対側の面に当接される。
【０００８】
本発明の一つ又は複数の実施形態において、第２のストッパ部は、貫通孔を有する。導光柱は貫通孔に入る。
【０００９】
本発明の一つ又は複数の実施形態において、第２のストッパ部は、レンズを有する。導光柱はレンズに光結合される。
【００１０】
本発明の一つ又は複数の実施形態において、放熱ファンは、ファン本体及び安全カバーを含む。ファン本体は、ファンボックス及びファンブレードを備える。ファンボックスはフレームスロットを有し、ファンブレードは枢転可能にフレームスロット内に位置する。安全カバーは、ファンボックスに接続されフレームスロットを覆う。なお、第１のストッパ部は、安全カバーのファンボックスと反対側の面に当接されて、ファン本体を安全カバーと外部フレームとの間に挟持させる。
【００１１】
本発明の一つ又は複数の実施形態において、電気的接続部は、安全カバーに接続される。導光柱の一端面は、電気的接続部に固定される。
【００１２】
本発明の一つ又は複数の実施形態において、放熱ファンは、凹部及びガイド溝を含む。凹部は、放熱ファンに凹設されて、第１のストッパ部を収納することに用いられる。ガイド溝は、凹部内に位置し、第１のストッパ部が凹部内に入るようにガイドすることに用いられる。
【００１３】
本発明の一つ又は複数の実施形態において、導光柱の長手方向は、締付素子の長手方向と互いに平行する。
【００１４】
本発明の一実施形態によれば、このようなホットスワップ可能なファンモジュールは、ファン本体と、ハンドルを有する外部フレームと、安全カバーと、外部フレーム、安全カバー及びファン本体を固定する少なくとも１つの第１の締付素子と、第１の締付素子に対向し、ファン本体を外部フレームと安全カバーとの間に挟持し、光線をガイドすることができる導光柱を有する第２の締付素子と、を備える。ファン本体は、外部フレームと安全カバーとの間に位置し、電気的接続部を有する。電気的接続部は、安全カバーに固定される。
【００１５】
本発明の一実施形態によれば、このようなコンピューター機器は、収納溝を有するハウジングと、ハウジング内に位置する回路基板と、回路基板に位置する電気コネクタと、回路基板に位置し、出光面を有する発光ダイオードと、上記のファンモジュールと、を備える。電源は回路基板に電気的に接続される。ファンモジュールは挿抜可能に収納溝内に位置し、且つ電気的接続部は電気コネクタに電気的に接続され、導光柱の一端が出光面に向かう。
【００１６】
上記は、本発明が解決しようとする課題、課題を解決するための技術手段、及びその効果等を記述するためのものであり、本発明の具体的な細部を、下記の実施形態及び関連する図面において詳しく説明する。
【図面の簡単な説明】
【００１７】
下記図面の簡単な説明は、本発明の前記または他の目的、特徴、メリット、実施形態をより分かりやすくするためのものである。
【図１】本発明の一実施形態によるホットスワップ可能なファンモジュールを示す斜視図である。
【図２】図１のファンモジュールを示す分解図である。
【図３】本発明の一実施形態によるホットスワップ可能なファンモジュールを示す断面図である。
【図４】本発明の一実施形態による第２のストッパ部を示す縦断面図である。
【図５】本発明の一実施形態によるコンピューター機器を示す模式図である。
【発明を実施するための形態】
【００１８】
以下、図面で本発明の複数の実施形態を開示し、明らかに説明するために、下記叙述で多くの実際の細部を合わせて説明する。しかしながら、理解すべきなのは、これらの実際の細部が、本発明を制限するためのものではない。つまり、本発明の実施形態の一部において、これらの実際の細部は、必要ないものである。また、図面を簡略化するために、ある従来慣用の構造及び素子は、図面において簡単で模式的に示される。
【００１９】
図１は、本発明の一実施形態によるホットスワップ可能なファンモジュール１０を示す斜視図である。図２は、図１のファンモジュール１０を示す分解図である。図１及び図２に示すように、本実施形態において、このファンモジュール１０は、外部フレーム１００、放熱ファン２００、複数の（例えば３つの）締付素子３００（例えば金属ボルト）及び導光アセンブリ４００を備える。外部フレーム１００は、ハンドル１１０を有する。ユーザは、ハンドル１１０によりファンモジュール１０を移動する。放熱ファン２００は外部フレーム１００の一方の側に附設され、且つこれら締付素子３００は外部フレーム１００と放熱ファン２００を一体に固定する。導光アセンブリ４００は、導光柱４１０、第１のストッパ部４２０及び第２のストッパ部４３０を備える。導光柱４１０は、締付素子３００に対向して配置され、放熱ファン２００と外部フレーム１００に貫設される。第１のストッパ部４２０は導光柱４１０に位置し、放熱ファン２００の外部フレーム１００と反対側の面に当接される。第２のストッパ部４３０は、該第１のストッパ部４２０に対向し、透光性を有し、且つ導光柱４１０に光結合され、外部フレーム１００の放熱ファン２００と反対側の面に当接される。本実施形態において、放熱ファン２００は、ファン本体２１０及び安全カバー２２０を含む。ファン本体２１０は、ファンボックス２１１及びファンブレード２１３を含む。ファンボックス２１１はフレームスロット２１２を含み、ファンブレード２１３は枢転可能にフレームスロット２１２内に位置する。安全カバー２２０は、ファンボックス２１１に接続されフレームスロット２１２を覆う。なお、第１のストッパ部４２０は、安全カバー２２０のファンボックス２１１と反対側の面に当接されて、ファン本体２１０を安全カバー２２０と外部フレーム１００との間に挟持させる。
【００２０】
このように、第１のストッパ部４２０及び第２のストッパ部４３０が対向するように安全カバー２２０と外部フレーム１００に当接され、即ち、第１のストッパ部４２０が第１の方向Ｄ１に向かって安全カバー２２０の外部フレーム１００と反対側の面を圧迫し、そして第２のストッパ部４３０が第１の方向Ｄ１と反対側の第２の方向Ｄ２に向かって外部フレーム１００の安全カバー２２０と反対側の面に当接されるため、ファン本体２１０を安全カバー２２０と外部フレーム１００との間に挟持させる。このため、ファンモジュール１０を抜き取る時に、ファンモジュール１０に引っ張り変形又は分離が発生しなく、更にファンモジュール１０が損壊される可能性を低下させる。
【００２１】
更に、本実施形態において、放熱ファン２００と外部フレーム１００を組み合わせたものは全体略矩形Ｒを呈し、導光アセンブリ４００及びこれらの締付素子３００はそれぞれ均一にこの矩形Ｒの4つの角Ｃに位置して、十分又は均一な結合力を放熱ファン２００と外部フレーム１００に提供するようにする。
【００２２】
具体的に、導光柱４１０は、透光柱体４１１及び第１のねじ部４１２を含む。第１のねじ部４１２は、透光柱体４１１の端部４１１Ｅに形成される。第２のストッパ部４３０は、第２のねじ部４４２を内蔵するナット４４０である。例えば、ナット４４０は、中空のパイプスリーブ４４１及びキャップヘッド４４３を有し、中空のパイプスリーブ４４１がキャップヘッド４４３の一方の側に接続され、第２のねじ部４４２が中空のパイプスリーブ４４１の内壁に形成される。このように、ナット４４０の中空のパイプスリーブ４４１が透光柱体４１１の端部４１１Ｅに外嵌される場合、第２のねじ部４４２と第１のねじ部４１２との互いの螺合によって、ナット４４０のキャップヘッド４４３は、第２の方向Ｄ２に向かって外部フレーム１００の放熱ファン２００と反対側の面を圧迫する（図１）。
【００２３】
第２のストッパ部４３０は、貫通孔４４４を有する。貫通孔４４４は、透光柱体４１１の端面４１１Ｆ１に合わせて、導光柱４１０は仮想延長線を有し（線分Ｄ１、Ｄ２を参照）、仮想延長線は導光柱４１０の軸と同軸し、貫通孔４４４を導光柱４１０の仮想延長線が通り抜ける。例えば、貫通孔４４４が第２のストッパ部４３０のキャップヘッド４４３に位置し且つ中空のパイプスリーブ４４１に連通される。このため、導光柱４１０からの光線は、貫通孔４４４を透過して外へ発光することができる。
【００２４】
本実施形態において、第１のストッパ部４２０は、アーク状のフランジ４２１であり、且つ一体成形するように透光柱体４１１の表面に位置し、且つ透光柱体４１１を取り囲む。第１のストッパ部４２０は、第１の方向Ｄ１に向かって放熱ファン２００の外部フレーム１００と反対側の面を圧迫する（図１）。しかしながら、本発明は、第１のストッパ部が必ず一体成形するように透光柱体に位置することに制限されない。例えば、透光柱体は、例えば透光性プラスチック又はガラスから製造されるが、本発明はこれらに制限されない。
【００２５】
なお、図１に示すように、放熱ファン２００は、凹部２２１及びガイド溝２２２を含む。凹部２２１は、安全カバー２２０のファン本体２１０と反対側の面に凹設され、第１のストッパ部４２０を収容することに用いられる。ガイド溝２２２は、凹部２２１内に位置し、第１のストッパ部４２０を位置規制することに用いられる。このため、第１のストッパ部４２０が凹部２２１内で凹部２２１の内壁を圧迫する場合、アーク状のフランジ４２１の突出リブ４２２はガイド溝２２２内に挿入されることができ、第１のストッパ部４２０が凹部２２１に入るようにガイドすることに寄与する。更に、ファンモジュール１０の放熱ファン２００は、電気的接続部２１４を有する。放熱ファン２００は、電気的接続部２１４によって外部と信号交換を行う。電気的接続部２１４は、安全カバー２２０に接続される。導光柱４１０の第２のストッパ部４３０と反対側の一端面４１１Ｆ２は、電気的接続部２１４に固定される。
【００２６】
なお、導光アセンブリ４００は、ファン本体２１０をしっかりと外部フレーム１００と安全カバー２２０との間に挟持させるため、一実施形態において導光機能を有する締付素子、又は透光材料を有する締付素子と見なされることができる。
【００２７】
図３は、本発明の一実施形態によるホットスワップ可能なファンモジュール１１を示す断面図である。図３に示すように、図１のファンモジュール１０が図３のファンモジュール１１とほぼ同じであるが、その相違点の一つは、導光アセンブリがロックポスト４６０を更に含むことにある。ロックポスト４６０は、中空の金属チューブ４６１及び第３のねじ部４６３を含む。中空の金属チューブ４６１は、放熱ファン２００と外部フレーム１００に貫設され、中空の通路４６２を有する。中空の通路４６２と中空の金属チューブ４６１とは同軸となり、且つそれらの内部が導光柱４１０を収納することに用いられる。第３のねじ部４６３は、図１におけるねじ部のように導光柱４１０に形成されなく、中空の金属チューブ４６１の端部４６１Ｅに形成される。第２のストッパ部４３０は、第２のねじ部４４２を内蔵するナット４５０である。このように、ナット４５０の中空のパイプスリーブ４４１が中空の金属チューブ４６１の端部４６１Ｅに外嵌される場合、第２のねじ部４４２と第３のねじ部４６３との互いの螺合によって、ナット４５０は、第２の方向Ｄ２に向かって外部フレーム１００の放熱ファン２００と反対側の面を圧迫する。ナット４５０と図２のナット４４０とはほぼ同じであるため、ここに説明しない。
【００２８】
了解すべきなのは、中空の金属チューブ４６１の硬度がプラスチック材質から製造された透光柱体の硬度より高いため、ロックポスト４６０は、更に放熱ファン２００と外部フレーム１００に大きな結合力を提供することができる。なお、ロックポスト４６０の中空の金属チューブ４６１の硬度も締付素子３００の硬度にほぼ近いため、放熱ファン２００と外部フレーム１００にも均一な結合力を提供することができる。
【００２９】
なお、第１のストッパ部４２０は、アーク状のフランジ４２１であり、且つ一体成形するように中空の金属チューブ４６１の表面に位置し、且つ中空の金属チューブ４６１を取り囲む。第１のストッパ部４２０は、第１の方向Ｄ１に向かって放熱ファン２００の外部フレーム１００と反対側の面を圧迫する。しかしながら、本発明は、第１のストッパ部４２０が一体成形するように中空の金属チューブ４６１に位置することに制限されない。
【００３０】
図４は、本発明の一実施形態による第２のストッパ部４３０を示す縦断面図である。図４に示すように、図２の第２のストッパ部４３０と図４の第２のストッパ部４３０とはほぼ同じであるが、その相違点の一つは、図２の第２のストッパ部が貫通孔を有することと違って、図４の第２のストッパ部４３０が導光柱に光結合されるレンズ４４６を有することにある。例えば、第２のストッパ部４３０は、ナット４７０である。レンズ４４６は、ナット４７０のキャップヘッド４４５に位置する。このため、図３を参照して、導光柱４１０からの光線がレンズ４４６のガイドにより屈折するか又は散乱して、所要の導光目的を達成するようにする。例えば、レンズ４４６が光線を発散させることができる場合、ユーザはナット４７０を直視しなければ導光柱からの光線を観察することができないこととならない。或いは、別の例を挙げれば、レンズ４４６が光線を収束させて且つ光点を平面（例えば壁面）に生成することができる場合、この時に、ファンモジュールがユーザと平面（例えば壁面）との間に位置し、ユーザは平面（例えば壁面）における光点を観察することによってファンモジュールのこの時の状態情報を確認することができる。
【００３１】
図５は、本発明の一実施形態によるコンピューター機器５００を示す模式図である。図１及び図５に示すように、コンピューター機器５００、例えばサーバーは、ハウジング５１０、複数の電子素子及び複数のホットスワップ可能なファンモジュール１２を備える。ハウジング５１０は、収納空間５１１及び複数の収納溝５１２を有する。これらの収納溝５１２は、間隔的にハウジング５１０の一方の側に並列され、且ついずれも収納空間５１１に連通される。各収納溝５１２は、その中の１つのファンモジュール１２を収納することができる。各ファンモジュール１２は、上記実施形態のファンモジュール１０、１１の全ての技術的特徴を援用することができる。電子素子は、いずれも収納空間５１１内に位置し、例えば処理ユニット５２０（Ｐｒｏｃｅｓｓｏｒ）、回路基板（例えばマザーボード）５３０、電源５４０及び記憶装置５５０（例えばハードディスクドライブＨＤＤ又はソリッドステートドライブＳＳＤ）のようなコンピューターに備えるべき動作ユニットである。電源５４０は、それぞれ上記処理ユニット５２０、回路基板５３０、記憶装置５５０及びファンモジュール１２に必要な作動電源を提供する。回路基板５３０には複数の電気コネクタ５３１及び複数の発光ダイオード５３２を有し、電源５４０が回路基板５３０によってそれぞれこれらの電気コネクタ５３１と発光ダイオード５３２に電気的に接続される。
【００３２】
このように、ユーザがその中の１つのファンモジュール１２を収納溝５１２内に押し込む場合、ファンモジュール１２の電気的接続部２１４がちゃんと回路基板５３０のその中の１つの電気コネクタ５３１に電気的に接続され、且つファンモジュール１２の導光柱４１０の一端面４１１Ｆ１がちゃんと回路基板５３０の１つの発光ダイオード５３２に向かう。逆に、ユーザがその中の１つのファンモジュール１２を収納溝５１２から引き出しようとする場合、ハンドル１１０を付勢することによって、ユーザはこのファンモジュール１２を収納溝５１２から取り外すことができ、更にファンモジュール１２の電気的接続部２１４を対応する電気コネクタ５３１から離れさせ、そして導光柱４１０を対応する発光ダイオード５３２から離れさせる。ファンモジュール１２には、引っ張り変形又は分離が発生しなく、更にファンモジュール１２が損壊される可能性を低下させる。
【００３３】
最終、本発明の実施例を前述の通りに開示したが、これは、本発明を限定するものではなく、当業者であれば、本発明の精神と範囲から逸脱しない限り、多様の変更や修飾を加えることができ、したがって、本発明の保護範囲は、後の特許請求の範囲で指定した内容を基準とするものである。
【符号の説明】
【００３４】
１０、１１、１２  ファンモジュール
１００  外部フレーム
１１０  ハンドル
２００  放熱ファン
２１０  ファン本体
２１１  ファンボックス
２１２  フレームスロット
２１３  ファンブレード
２１４  電気的接続部
２２０  安全カバー
２２１  凹部
２２２  ガイド溝
３００  締付素子
４００  導光アセンブリ
４１０  導光柱
４１１  透光柱体
４１１Ｅ  端部
４１１Ｆ１、４１１Ｆ２  端面
４１２  第１のねじ部
４２０  第１のストッパ部
４２１  アーク状のフランジ
４２２  突出リブ
４３０  第２のストッパ部
４４０、４５０、４７０  ナット
４４１  中空のパイプスリーブ
４４２  第２のねじ部
４４３、４４５  キャップヘッド
４４４  貫通孔
４４６  レンズ
４６０  ロックポスト
４６１  中空の金属チューブ
４６１Ｅ  端部
４６２  中空の通路
４６３  第３のねじ部
５００  コンピューター機器
５１０  ハウジング
５１１  収納空間
５１２  収納溝
５２０  処理ユニット
５３０  回路基板
５３１  電気コネクタ
５３２  発光ダイオード
５４０  電源
５５０  記憶装置
Ｄ１  第１の方向
Ｄ２  第２の方向
Ｃ  角
Ｒ  矩形
【図１】
2018064084.tif 000003
【図２】
2018064084.tif 000004
【図３】
2018064084.tif 000005
【図４】
2018064084.tif 000006
【図５】
2018064084.tif 000007